(57)【特許請求の範囲】
【請求項１】
ベースと、中間カバーと、表面カバーと、照明とを備え、照明が、ベースの前側に取り付けてあり、中間カバーが、前後方向に貫通する挿通部を有し、挿通部に照明を通して、ベースの前側にベースと間隔を空けて取り付けてあって、取付角度がベースに対して前後方向軸周りに可変であり、表面カバーが、照明を覆って中間カバーの前側に中間カバーと間隔を空けて取り付けてあって、取付角度が中間カバーに対して前後方向軸周りに可変であり、ベースと中間カバー及び中間カバーと表面カバーをそれぞれ固定してあることを特徴とする照明具。
【請求項２】
中間カバーと表面カバーの前面視形状又は前面視寸法が異なっていることを特徴とする請求項１記載の照明具。
【請求項３】
中間カバーが、前後方向に裏返して取付可能であることを特徴とする請求項１又は２記載の照明具。
【請求項４】
中間カバーが、外縁から挿通部に連通する切欠部を有することを特徴とする請求項１、２又は３記載の照明具。
【発明の詳細な説明】
【技術分野】
【０００１】
本発明は、主として玄関周りの壁面や門柱などに取り付ける照明具に関する。
【背景技術】
【０００２】
玄関周りの壁面や門柱などに取り付ける照明具として、非特許文献１に示すように、様々なデザインのものが存在している。図１１に示すのはその一例であり、（ａ）は照明１０４を半球形状で半透明のカバー１０３で覆ったものである。また、（ｂ）は照明１０４を下面が開口した立方体形状のカバー１０３で覆ったものである。従来は、こうした品々の中から、自分の好みに合うものを選択していた。
【先行技術文献】
【非特許文献】
【０００３】
【非特許文献１】「エクステリア総合カタログ２００８−２００９（ＳＴＸ０２７０Ａ）」、三協立山アルミ株式会社、２００８年３月、ｐ．２７０、２７３
【発明の概要】
【発明が解決しようとする課題】
【０００４】
しかしながら、近年ではこのような照明具においても、他とは異なる自分仕様のデザインのものが求められるようになっているが、個人が自分で一からデザインをすることは困難であるし、業者に注文すれば非常にコストが高くなってしまう。そこで、安価であって、容易に自分の好みのデザインに形成できる照明具が求められていた。
【０００５】
本発明は、上記事情を鑑みたものであり、複数の部材の組み合わせ方を変えることでデザインを変化させることができる照明具を提供することを目的とする。
【課題を解決するための手段】
【０００６】
本発明のうち請求項１の発明は、ベースと、中間カバーと、表面カバーと、照明とを備え、照明が、ベースの前側に取り付けてあり、中間カバーが、前後方向に貫通する挿通部を有し、挿通部に照明を通して、ベースの前側にベースと間隔を空けて取り付けてあって、取付角度がベースに対して前後方向軸周りに可変であり、表面カバーが、照明を覆って中間カバーの前側に中間カバーと間隔を空けて取り付けてあって、取付角度が中間カバーに対して前後方向軸周りに可変であり、ベースと中間カバー及び中間カバーと表面カバーをそれぞれ固定してあることを特徴とする。
【０００７】
本発明のうち請求項２の発明は、中間カバーと表面カバーの前面視形状又は前面視寸法が異なっていることを特徴とする。
【０００８】
本発明のうち請求項３の発明は、中間カバーが、前後方向に裏返して取付可能であることを特徴とする。
【０００９】
本発明のうち請求項４の発明は、中間カバーが、外縁から挿通部に連通する切欠部を有することを特徴とする。
【発明の効果】
【００１０】
本発明のうち請求項１の発明によれば、表面カバーや中間カバーの取付角度を変えることで、照明具全体のデザインを変化させることができる。そして、デザインを変化させることにより、光の照射の仕方や、それに伴ってできる影の形も変化させることができる。
【００１１】
本発明のうち請求項２の発明によれば、中間カバーや表面カバーの取付角度を変えた際のデザインの変化をより大きくすることができる。
【００１２】
本発明のうち請求項３の発明によれば、中間カバーを裏返して取り付けることで、デザインの変化のパターンをさらに増やすことができる。
【００１３】
本発明のうち請求項４の発明によれば、照明の光が切欠部を通って外側に照射されるので、切欠部の向きを変えることで、任意の方向を照らすことができる。
【図面の簡単な説明】
【００１４】
【図１】本発明の照明具の第一実施形態の斜視図である。
【図２】第一実施形態の側面図である。
【図３】第一実施形態の分解図である。
【図４】ベースの前面図、Ａ−Ａ線断面図及び後面図である。
【図５】中間カバーの前面図、Ｂ−Ｂ線断面図及び後面図である。
【図６】表面カバーの前面図、側面図及び後面図である。
【図７】第一実施形態の組み合わせパターンの例を示す説明図である。
【図８】第二実施形態の組み合わせパターンの例を示す説明図である。
【図９】第三実施形態の組み合わせパターンの例を示す説明図である。
【図１０】第四実施形態の組み合わせパターンの例を示す説明図である。
【図１１】従来の照明具の説明図である。
【発明を実施するための形態】
【００１５】
以下、本発明の実施の形態を図面に基づいて説明する。この照明具は、玄関周りの壁面や門柱を始めとした、様々な場所の壁面に設置することができるものである。その第一実施形態は、図１及び図２に示すように、ベース１と、中間カバー２と、表面カバー３と、照明４とを備えており、ベース１に取り付けた照明４が中間カバー２及び表面カバー３によって覆われている。ベース１と、中間カバー２と、表面カバー３は、何れもアルミ鋳造により作られたものである。以下、図１〜図６に基づいて、より詳しく説明する。なお、図２の左側を前側、右側を後側とし、上下左右とは照明具を前面視した際の上下左右とする。
【００１６】
ベース１は、図４（（ａ）は前面図、（ｂ）はＡ−Ａ線断面図、（ｃ）は後面図）に示すように、基部１１と、鍔部１２とを有する。基部１１は正四角錐台で前側に向けて広がっており、鍔部１２は正方形平板形状で基部１１の前側端から外周側に広がっていて、基部１１の前面と鍔部１２の前面とは面一になっている。そして、基部１１の前面中央には照明４が納まる円形の取付穴１３を形成してあり、取付穴１３の周囲には、中間カバー２と連結するための連結部１４を設けてある。連結部１４は、台形形状の突起であり、円周上に９０度間隔で四つ設けてあって（左上、右上、右下、左下）、各連結部１４には、内外周方向に貫通する通し孔１５を形成してある。なお、取付穴１３の底面には、照明４を取り付け、かつベース１を設置面に固定するためのネジを通す固定用孔１６と、照明４の配線（図示省略）を通すための配線用孔１７を形成してある。
【００１７】
中間カバー２は、図５（（ａ）は前面図、（ｂ）はＢ−Ｂ線断面図、（ｃ）は後面図）に示すように、中間板２３と、挿通部２１を有する。中間板２３は、平板形状であって、ベース１の鍔部１２と同じ大きさの正方形の上辺と下辺を曲線状に切り取った上下対称の形状である。そして、中間板２３の中央には、前後方向に貫通する円形の孔である挿通部２１を形成してあり、挿通部２１の周囲には、前面と後面の両側に、連結部（前側連結部２４及び後側連結部２５）を設けてある。前側連結部２４は表面カバー３と連結するためのものであり、後側連結部２５はベース１と連結するためのものである。これらは何れも、ベース１の連結部１４と同様に、台形形状の突起であり、円周上に９０度間隔で四つ設けてあって（左上、右上、右下、左下）、各連結部２４，２５には、内外周方向に貫通するネジ孔２６を形成してある。なお、前側連結部２４と後側連結部２５とは、中間板２３の前後面の対向する位置に設けてあり、これらが配置されている円周の大きさは、ベース１の連結部１４が配置されている円周よりも一回り小さい。
【００１８】
表面カバー３は、図６（（ａ）は前面図、（ｂ）は側面図、（ｃ）は後面図）に示すように、表面板３１からなる。表面板３１は、平板形状であって、ベース１の鍔部１２と同じ大きさの正方形の上辺を曲線状に切り取った形状である。なお、切取面積は、中間カバー２の上辺部分（又は下辺部分）の切取面積よりも大きい。そして、表面板３１の後面には、中間カバー２と連結するための連結部３２を設けてある。連結部３２は、ベース１の連結部１４と同様に、台形形状の突起であり、円周上に９０度間隔で四つ設けてあって（左上、右上、右下、左下）、各連結部１４には、内外周方向に貫通する通し孔３３を形成してある。なお、表面カバー３の連結部３２が配置されている円周の大きさは、ベース１の連結部１４が配置されている円周と同じである。
【００１９】
照明４には、略円柱形状のＬＥＤ照明を用いている。ベース１への取り付けに際しては、ベース１の取付穴１３の底面に高さを調整するための台座５を敷いて、その上に照明４を固定する。台座５は、取付穴１３に嵌る大きさの円形平板であり、ベース１の固定用孔１６及び配線用孔１７に対応した箇所に孔を設けてある。
【００２０】
続いて、これらの各部材の組立について説明する。まず、ベース１の取付穴１３の底面に台座５を敷いて、その上に照明４をネジ止めして固定する。次に、ベース１に対して中間カバー２を取り付ける。この際、ベース１の連結部１４の内側に中間カバー２の後側連結部２５が納まるので、ベース１の連結部１４の通し孔１５にネジ６を通し、中間カバー２の後側連結部２５のネジ孔２６に螺合して固定する。なお、ベース１の連結部１４と、中間カバー２の後側連結部２５は、何れも９０度間隔で設けてあるから、ベース１に対して中間カバー２を９０度単位の任意の角度で取り付けることができる。次に、中間カバー２に対して表面カバー３を取り付ける。この際、表面カバー３の連結部３２の内側に中間カバー２の前側連結部２４が納まるので、表面カバー３の連結部３２の通し孔３３にネジ６を通し、中間カバー２の前側連結部２４のネジ孔２６に螺合して固定する。なお、中間カバー２の前側連結部２４と、表面カバー３の連結部３２は、何れも９０度間隔で設けてあるから、中間カバー２に対して表面カバー３を９０度単位の任意の角度で取り付けることができる。
【００２１】
このように構成した本発明の照明具は、表面カバー及び中間カバーの前面視形状を異ならせてあり、表面カバーや中間カバーの取付角度を変えることで、照明具全体のデザインを変化させることができる。そして、デザインを変化させることにより、光の照射の仕方や、それに伴ってできる影の形も変化させることができる。
【００２２】
ここで、第一実施形態について、図７に基づき、表面カバーや中間カバーの取付角度を変化させた場合の組み合わせパターンの例を示す。（ａ）は表面カバー３、（ｂ）は中間カバー２の前面図であり、この向きを基準とし、以下の回転角度は時計回りとする。（ｃ）は、表面カバー、中間カバーともに基準状態のまま取り付けたものである。（ｄ）は、表面カバーは基準状態のままで、中間カバーを１８０度回転させたものである。（ｅ）は、表面カバーを９０度回転させ、中間カバーは基準状態のままとしたものである。（ｆ）は、表面カバーを１８０度、中間カバーを２７０度回転させたものである。（ｇ）は、表面カバーを２７０度、中間カバーを１８０度回転させたものである。このように、表面カバー及び中間カバーの前面視形状を異ならせてあるので、取付角度を変えると、表面カバーの後側の中間カバーやベースの見え方が異なる様々なデザインパターンを作り出すことができる。
【００２３】
次に、照明具の第二実施形態について、図８に基づき、その構成及び表面カバーや中間カバーの取付角度を変化させた場合の組み合わせパターンの例を示す。第二実施形態は、第一実施形態に対して、表面カバー３の表面板３１及び中間カバー２の中間板２３の形状が異なっており、その他の構成は同じである。中間カバー２は、（ｂ）に示すように、中間板２３がベースの鍔部１２より一回り小さな正方形であって、その中心が左下にずれていて、左辺及び下辺が鍔部１２の左辺及び下辺に一致している。そして、表面カバー３は、（ａ）に示すように、表面板３１が中間カバー２の中間板２３より一回り小さな正方形であって、その中心が左下にずれていて、左辺及び下辺が鍔部１２の左辺及び下辺に一致している。そして、以下は実例であり、（ｃ）は、表面カバー、中間カバーともに基準状態のまま取り付けたものである。（ｄ）は、表面カバーは基準状態のままで、中間カバーを２７０度回転させたものである。（ｅ）は、表面カバーを２７０度、中間カバーを９０度回転させたものである。（ｆ）は、表面カバーを１８０度、中間カバーを１８０度回転させたものである。（ｇ）は、表面カバーは基準状態のままで、中間カバーを９０度回転させたものである。このように、表面カバー及び中間カバーの前面視形状が同じであっても、その前面視寸法を異ならせると、取付角度を変えることでデザインを変化させることができる。
【００２４】
次に、照明具の第三実施形態について、図９に基づき、その構成及び表面カバーや中間カバーの取付角度を変化させた場合の組み合わせパターンの例を示す。第三実施形態は、第一実施形態に対して、表面カバー３の表面板３１及び中間カバー２の中間板２３の形状が異なっており、その他の構成は同じである。表面カバー３は、（ａ）に示すように、表面板３１がベースの鍔部と同じ大きさの正方形であって、右上部分に円形の孔を形成してある。そして中間カバー２は、（ｂ）に示すように、中間板２３がベースの鍔部と同じ大きさの正方形であって、右上部分に長方形の孔を、左下部分に円形の孔を形成してある。なお、表面カバー３の右上には連結部３２がなく、それに合わせて中間カバー２の右上には前側連結部２４がないが、残りの箇所でネジ止めすれば、問題なく連結できる。そして、以下は実例であり、（ｃ）は、表面カバー、中間カバーともに基準状態のまま取り付けたものである。（ｄ）は、表面カバーは基準状態のままで、中間カバーを１８０度回転させたものである。（ｅ）は、表面カバーを９０度、中間カバーを９０度回転させたものである。（ｆ）は、表面カバーを１８０度回転させ、中間カバーは基準状態のままとしたものである。（ｇ）は、表面カバーを２７０度、中間カバーを２７０度回転させたものである。このように、表面カバー及び中間カバーの前面視外縁形状が同じであっても、それぞれに異なる形状の孔を設けると、取付角度を変えることで、表面カバーの孔から見える中間カバーやベース態様が異なる様々なデザインパターンを作り出すことができる。
【００２５】
次に、照明具の第四実施形態について、図１０に基づき、その構成及び表面カバーや中間カバーの取付角度を変化させた場合の組み合わせパターンの例を示す。第四実施形態は、第一実施形態に対して、表面カバー３の表面板３１及び中間カバー２の中間板２３の形状が異なっており、その他の構成は同じである。表面カバー３は、（ａ）に示すように、表面板３１がベースの鍔部と同じ大きさの正方形であって、右上部分を直線状に切り取った形状である。そして中間カバー２は、（ｂ）に示すように、中間板２３がベースの鍔部と同じ大きさの正方形であって、左辺上端部から上辺右端部にかけて、外縁から挿通部２１に連通する切欠部２２を形成してある。なお、表面カバー３の右上には連結部３２がなく、それに合わせて中間カバー２の右上には前側連結部２４がないが、残りの箇所でネジ止めすれば、問題なく連結できる。また、前側連結部２４と後側連結部２５とは、中間板２３の前後面の対向する位置に設けてあるから、（ｃ）に示すように中間カバー２を前後方向に裏返した状態でも、ベース及び表面カバーに連結できる。そして、以下は実例であるが、（ｄ）〜（ｈ）は、中間カバー２を前後方向について（ｂ）に示す向きに取り付ける場合である。（ｄ）は、表面カバー、中間カバーともに基準状態のまま取り付けたものである。（ｅ）は、表面カバーは基準状態のままで、中間カバーを１８０度回転させたものである。（ｆ）は、表面カバーを９０度、中間カバーを１８０度回転させたものである。（ｇ）は、表面カバーを１８０度、中間カバーを１８０度回転させたものである。（ｈ）は、表面カバーを２７０度、中間カバーを２７０度回転させたものである。そして、（ｉ）〜（ｍ）は、中間カバー２を前後方向について（ｃ）に示す向きに取り付ける場合である。（ｉ）は、表面カバー、中間カバーともに基準状態のまま取り付けたものである。（ｊ）は、表面カバーは基準状態のままで、中間カバーを１８０度回転させたものである。（ｋ）は、表面カバーを９０度、中間カバーを１８０度回転させたものである。（ｌ）は、表面カバーを１８０度、中間カバーを１８０度回転させたものである。（ｍ）は、表面カバーを２７０度、中間カバーを２７０度回転させたものである。このように、表面カバー及び中間カバーの前面視形状を異ならせてあるので、取付角度を変えると、表面カバーの後側の中間カバーやベースの見え方が異なる様々なデザインパターンを作り出すことができ、中間カバーを裏返して取り付けることで、デザインの変化のパターンを倍増させることができる。そして、照明の光が切欠部を通って外側に照射されるので、切欠部の向きを変えることで、任意の方向を照らすことができる。本実施形態においては、（ｄ）、（ｉ）の場合は上側を、（ｅ）、（ｆ）、（ｇ）、（ｊ）、（ｋ）、（ｌ）の場合は下側を、（ｈ）、（ｍ）の場合は左側を照らす。
【００２６】
本発明は、上記の実施形態に限定されない。たとえば、連結部を増やすことによって、ベースに対する中間カバーの取付角度及び中間カバーに対する表面カバーの取付角度をより小さい角度単位で変更できるようにしてもよい。また、中間カバーを複数備えていて、ベースと表面カバーの間に中間カバーを重ねて取り付けるようにしてもよい。その場合、中間カバー同士の取付角度も可変であることが望ましい。さらに、ベースは、照明と中間カバーを取り付けることができるものであればどのような形状であってもよく、壁面以外に床面や天井面に固定するものであってもよい。また、中間カバーや表面カバーについても平板形状のものに限られない。たとえば、中間カバーが円環形状のものであってもよいし、表面カバーの前面が前側に膨らむドーム形状のもの、前面が波打った形状のものや、前面に突起を有するものなどであってもよく、何れも意匠性を考慮して自由に設計できる。
【符号の説明】
【００２７】
１  ベース
２  中間カバー
３  表面カバー
４  照明
２１  挿通部
２２  切欠部
【図１】
0005809460.tif 000002
【図２】
0005809460.tif 000003
【図３】
0005809460.tif 000004
【図４】
0005809460.tif 000005
【図５】
0005809460.tif 000006
【図６】
0005809460.tif 000007
【図７】
0005809460.tif 000008
【図８】
0005809460.tif 000009
【図９】
0005809460.tif 000010
【図１０】
0005809460.tif 000011
【図１１】
0005809460.tif 000012